(57)【要約】【課題】ラップフィルム収納箱においてラップフィルムの引き出し時のフィルム巻回体の回転を適切に行いつつ、輸送時等にフィルム巻回体が箱本体の内壁に衝突して損傷するのを抑制する。【解決手段】ラップフィルム収納箱１は、ラップフィルムＦを巻回した筒状のフィルム巻回体Ｒを収納し、上面が開閉する直方体状に形成されている。箱本体の内壁の高さＨが横幅Ｄよりも１ｍｍ〜２ｍｍ短い。箱本体の内壁の高さＨとフィルム巻回体Ｒの外径Ｌとの差は、２ｍｍ以内である。【選択図】図５
2015063331.tif 000002
【特許請求の範囲】
【請求項１】
ラップフィルムを巻回した筒状のフィルム巻回体を収納する、上面が開閉する直方体状のラップフィルム収納箱であって、
箱本体の内壁の高さが横幅よりも短い、ラップフィルム収納箱。
【請求項２】
前記箱本体の内壁の高さが横幅よりも１ｍｍ〜２ｍｍ短い、請求項１に記載のラップフィル収納箱。
【請求項３】
前記箱本体の内壁の高さと前記フィルム巻回体の外径との差が２ｍｍ以内である、請求項１又は２に記載のラップフィルム収納箱。
【請求項４】
請求項１〜３のいずれかに記載のラップフィルム収納箱にフィルム巻回体を収納したフィルム収納システム。
【発明の詳細な説明】
【技術分野】
【０００１】
本発明は、特に食品包装用のラップフィルム、アルミホイル、クッキングシート等（以下、「ラップフィルム」と称す）を巻回したフィルム巻回体を収容するラップフィルム収納箱及び、ラップフィルム収納箱にフィルム巻回体を収納したフィルム収納システムに関する。
【背景技術】
【０００２】
ラップフィルムは、紙製の芯体に巻回されてフィルム巻回体を構成し、当該フィルム巻回体が、紙製の直方体状のラップフィルム収納箱に収納されている。このラップフィルム収納箱は、上面が開口しフィルム巻回体を収納する収納部と、当該上面開口を開閉する蓋部とを有し、ラップフィルムの使用時には、収納部内のフィルム巻回体からラップフィルムを引き出し、所定長さで切り取る。
【０００３】
ところで、従来より、ラップフィルムの引き出し時にフィルム巻回体をスムーズに回転させるため、ラップフィルム収納箱の内壁の寸法は、製造時のフィルム巻回体の外径よりも１ｍｍ〜３ｍｍ程度大きく形成され、内壁の高さと短辺方向の横幅が同じ寸法を有していた。
【先行技術文献】
【特許文献】
【０００４】
【特許文献１】特許第４４０８１３９号公報
【発明の概要】
【発明が解決しようとする課題】
【０００５】
しかしながら、上述のラップフィルム収納箱は、内壁とラップフィル巻回体との間に隙間があるので、輸送時等にフィルム巻回体が動いて内壁に衝突し、フィルム巻回体に傷ができることがあった。
【０００６】
本発明はかかる点に鑑みてなされたものであり、ラップフィルムの引き出し時のフィルム巻回体の回転を適切に行いつつ、輸送時等にフィルム巻回体が箱本体の内壁に衝突して損傷するのを抑制することをその目的とする。
【課題を解決するための手段】
【０００７】
本発明者は、鋭意研究を重ねた結果、箱本体の内壁の寸法を適正なものにすることで上記課題が解決されることを見出し、本発明をなすに至った。すなわち、本発明は下記（１）〜（４）を提供する。
（１）ラップフィルムを巻回した筒状のフィルム巻回体を収納する、上面が開閉する直方体状のラップフィルム収納箱であって、箱本体の内壁の高さが横幅よりも短い、ラップフィルム収納箱。
（２）前記箱本体の内壁の高さが横幅よりも１ｍｍ〜２ｍｍ短い、（１）に記載のラップフィル収納箱。
（３）前記箱本体の内壁の高さと前記フィルム巻回体の外径との差が２ｍｍ以内である、（１）又は（２）に記載のラップフィルム収納箱。
（４）（１）〜（３）のいずれかに記載のラップフィルム収納箱にフィルム巻回体を収納したフィルム収納システム。
【発明の効果】
【０００８】
本発明によれば、ラップフィルム収納箱においてラップフィルムの引き出し時のフィルム巻回体の回転を適切に行いつつ、輸送時等にフィルム巻回体が箱本体の内壁に衝突して損傷するのを抑制できる。
【図面の簡単な説明】
【０００９】
【図１】本発明のラップフィルム収納箱の概略を示す斜視図である。
【図２】ラップフィルム収納箱の展開図である。
【図３】蓋部を開放したラップフィルム収納箱の斜視図である。
【図４】開封片を切り取る様子を示すラップフィルム収納箱の斜視図である。
【図５】ラップフィルム収納箱の内壁の寸法を示す断面図である。
【図６】蓋部を開けラップフィルムを引き出した状態を示す説明図である。
【図７】つまみ片を有するラップフィルム収納箱の斜視図である。
【図８】折返し片を有するラップフィルム収納箱の展開図である。
【図９】折返し片を有するラップフィルム収納箱の内壁の寸法を示す断面図である。
【発明を実施するための形態】
【００１０】
本発明について、以下具体的に説明する。なお、以下の実施の形態は、本発明を説明するための例示であり、本発明はその実施の形態のみに限定されるものではない。同一の要素には同一の符号を付し、重複する説明は省略する。また、図面中、上下左右等の位置関係は、特に断らない限り、図面に示す位置関係に基づくものとする。さらに、図面の寸法比率は、図示の比率に限定されるものではない。
【００１１】
図１はラップフィルム収納箱１の概略を示す斜視図であり、図２は図１のラップフィルム収納箱１の表面側の展開図である。図３は蓋部を開けた状態のラップフィルム収納箱１の斜視図である。
【００１２】
図１及び図２に示すようにラップフィルム収納箱１は、全体が直方体形状を有し、例えば掩蓋片１０、蓋板１１、脇掩蓋片１２等からなる蓋部１３と、前板１４、底板１５、後板１６、脇板１７等からなる収納部１８と、開封片２０とを有している。
【００１３】
図３に示すように収納部１８は、上面開口１８ａを有する直方体状に形成され、例えば透明のラップフィルムＦが円筒状の芯体に巻かれたフィルム巻回体Ｒを上面開口部１８ａから収納できる。
【００１４】
図１に示すように蓋部１３の蓋板１１は、後板１６の上端縁から前方に延びて収納部１８の上面開口１８ａを覆っている。掩蓋片１０は、蓋板１１の前端縁から前板１４側に延びて前板１４の前面を覆っている。
【００１５】
開封片２０は、収納部１８の前板１４の前面下部に位置し、ラップフィルム収納箱１の長手方向に沿って帯状に形成されている。開封片２０は、掩蓋片１０の先端縁に切り取り線２１を介して接続されている。開封前、開封片２０の裏面側は、図２に示す前板１４の複数の接着部２２に接着している。この開封片２０によって蓋部１３が封止されており、図４に示すように開封片２０を切り取り線２１に沿って切り取ることによって蓋部１３を開封することができる。
【００１６】
掩蓋片１０の先端部の裏側には、図３及び図４に示すように収納部１８のフィルム巻回体Ｒから引き出されたラップフィルムＦを切断する切断部としての鋸刃３０が設けられている。鋸刃３０は、ラップフィルム収納箱１（掩蓋片１０）の長手方向の両側端に亘って形成されている。鋸刃３０は、開封片２０を切り取った時に、掩蓋片１０の先端縁から下方に突出する位置に形成されている。なお、この鋸刃３０などの切断部の材質は、金属、プラスチック、バルカナイズドファイバー等であり、切断部の形状は、直線状、Ｖ状、アーチ状等従来公知のものであれば特に制限はない。
【００１７】
前板１４の表面には、ラップフィルムＦを仮留めする仮留め部４０が形成されている。仮留め部４０は、例えばＵＶ硬化のニスにより形成され、粘着性を有している。仮留め部４０は、例えばラップフィルム収納箱１の長手方向の両端部間に亘り、当該長手方向に沿って連続的に形成されている。
【００１８】
図５に示すように箱本体の内壁の横幅Ｄは、内壁とフィルム巻回体Ｒとの間に隙間ができるようにフィルム巻回体Ｒの外径Ｌより１ｍｍ〜４ｍｍ長くなっている。なお、ここでいうフィルム巻回体Ｒの外径Ｌは、製造時に設定されている使用前の値である。
【００１９】
また、箱本体の内壁の高さＨが横幅Ｄよりも短くなっている。具体的には、蓋部１３が閉鎖されている時の底板１５から蓋板１１までの高さＨが、前板１４から後板１６までの横幅Ｄよりも１ｍｍ〜２ｍｍ短くなっている。また、内壁の高さＨは、フィルム巻回体Ｒの外径Ｌより０ｍｍ〜２ｍｍ長くなっている。よって、箱本体の内壁の横方向の寸法は、フィルム巻回体Ｒより十分に大きいが、縦方向の寸法は、フィルム巻回体Ｒと同じかそれより僅かに大きく形成されている。
【００２０】
なお、ラップフィルム収納箱１を構成する原紙としては、例えば、ボール紙、コートボール紙、段ボール等が挙げられるが、これらに限定されず、当業界で公知の紙類を適宜選択して用いることができる。原紙は、これらの素材に、エンボス加工、印刷加工、ポリエチレン等を用いたラミネート加工が施されたものであっても構わない。
【００２１】
本実施の形態によれば、ラップフィルム収納箱１の箱本体の内壁の高さＨが横幅Ｄよりも短いので、輸送時等には、フィルム巻回体Ｒが天井面の蓋板１１に押さえられ、フィルム巻回体Ｒが箱内で動くことが抑制される。この結果、フィルム巻回体Ｒが箱本体の内壁に衝突して損傷することが抑制される。
【００２２】
また、図６に示すようにフィルム巻回体ＲからラップフィルムＦを引き出す際には、蓋部１３が開けられているので、箱本体の高さＨが短くても、引き出し時のフィルム巻回体Ｒの回転を妨げることがない。
【００２３】
本実施の形態では、箱本体の内壁の高さＨが横幅Ｄよりも１ｍｍ〜２ｍｍ短いので、輸送時等の箱本体内でのフィルム巻回体Ｒの動きを好適に抑制できる。１ｍｍ未満の場合には、箱本体内のフィルム巻回体Ｒの動きを十分に抑制できず、また、２ｍｍを超える場合には、その分横幅Ｄが大きくなり、フィルム巻回体Ｒの動きを十分に抑制できなくなる。
【００２４】
さらに、箱本体の内壁の高さＨとフィルム巻回体Ｒの外径Ｌとの差が２ｍｍ以内なので、フィルム巻回体Ｒの動きを十分に抑制できる。
【００２５】
以上の実施の形態において、図７及び図８に示すように前板１４に前方に浮き上がるつまみ片５０を設けてもよい。つまみ片５０は、例えば前板１４に切り込み５１を入れることにより形成される。また、前板１４には、折返し片５１が接続されていてもよい。折返し片５１は、前板１４の上端縁から延設され、前板１４の裏面を覆うように前板１４の裏面（内面）側に折り返され、前板１４の裏面に貼り付けられている。つまみ片５０は、折返し片５１が前板１４の裏面側に折れることにより生じる反作用により浮き上がる。このつまみ片５０によりラップフィルムＦが浮き上がるので、ラップフィルムＦの先端部をつまみ易くなる。かかる場合、図９に示すように箱本体の横幅Ｄは、折返し片５１から後板１６までの距離となる。
【００２６】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【実施例】
【００２７】
以下、実施例に基づいてさらに説明するが、これらは本発明の範囲を制限するものではない。なお、本発明に用いた収納箱の振動試験は以下によって測定した。
（振動試験）
段ボール入りの収納箱（３０ｃｍ×２０ｍ巻×６０本）に、振動試験機（アイデックス（株）社製、ＢＦ−５０ＵＴ）を用い、５〜３０Ｈｚ、３０秒／回の振動を２０回与える。発生した傷の程度のレベルを以下の４つに分けて評価する。
傷無  …  傷が発生していない
傷小  …  切れ、小さな傷口やノッチの発生
傷中  …  めくれ、裂けの発生
傷大  …  傷中以上に大きくはがれ、めくれあがっている
【００２８】
用いた収納箱の基本構造は、掩蓋片１０、蓋板１１、脇掩蓋片１２からなる蓋部１３と、前板１４、底板１５、後板１６、脇板１７からなる収納部１８と、開封片２０からなる直方体の箱体であって、収納部に収納したフィルム巻回体ＲからラップフィルムＦの必要量を引き出し、切断して用いるラップフィルムの収納箱である。
【００２９】
実施例１の収納箱は、ラップフィルム（幅３０ｃｍ×長さ２０ｍ）を外径４１ｍｍ長さ３０８ｍｍの円筒状の紙管の中央に巻いたフィルム巻回体Ｒを、高さ４６ｍｍ、奥行き４６ｍｍ、長さが３１１ｍｍの収納部を形成する収納箱のほぼ中央に収納したものを基本として、収納部の内壁の高さＨを横幅Ｄの長さよりも１ｍｍ短くした。
【００３０】
実施例２の収納箱は、収納部の内壁の高さＨを横幅Ｄの長さよりも２ｍｍ短くした。これを除いては実施例１の収納箱と同じである。
【００３１】
実施例３の収納箱は、ラップフィルム（幅３０ｃｍ×長さ５０ｍ）を外径４１ｍｍ長さ３０８ｍｍの円筒状の紙管の中央に巻いたフィルム巻回体Ｒを、高さ４６ｍｍ、奥行き４６ｍｍ、長さが３１１ｍｍの収納部を形成する収納箱のほぼ中央に収納したものを基本として、収納部の内壁の高さＨを横幅Ｄの長さよりも１ｍｍ短くした。
【００３２】
実施例４の収納箱は、収納部の内壁の高さＨを横幅Ｄの長さよりも２ｍｍ短くした。これを除いては実施例３の収納箱と同じである。
【００３３】
比較例１の収納箱は、収納部の内壁の高さＨを横幅Ｄの長さと等しくした。これを除いては実施例１の収納箱と同じである。
【００３４】
比較例２の収納箱は、収納部の内壁の高さＨを横幅Ｄの長さと等しくした。これを除いては実施例３の収納箱と同じである。
これらを振動試験で評価した結果を表１に示す。
【００３５】
【表１】
2015063331.tif 000003
表１に示されるように、実施例１，２の傷無の本数は、比較例１より多かった。実施例３，４の傷無の本数は、比較例２より多かった。また、実施例３，４に示される傷大の本数が比較例２より少なかった。このことから収納部の内壁の高さＨを横幅Ｄの長さよりも１〜２ｍｍ短くすることにより、ラップフィルムＦの損傷を抑制できることが分かった。
【産業上の利用可能性】
【００３６】
本発明は、ラップフィルム収納箱においてラップフィルムの引き出し時のフィルム巻回体の回転を適切に行いつつ、輸送時等にフィルム巻回体が箱本体の内壁に衝突して損傷するのを抑制する際に有用である。
【符号の説明】
【００３７】
１  ラップフィルム収納箱
１０  掩蓋片
１１  蓋板
１３  蓋部
１４  前板
１５  底板
１６  後板
１８  収納部
１８ａ  上面開口
２０  開封片
３０  鋸刃
４０  仮留め部
Ｈ  高さ
Ｄ  横幅
Ｒ  フィルム巻回体
Ｌ  フィルム巻回体の外径
Ｆ  ラップフィルム
【図１】
2015063331.tif 000004
【図２】
2015063331.tif 000005
【図３】
2015063331.tif 000006
【図４】
2015063331.tif 000007
【図５】
2015063331.tif 000008
【図６】
2015063331.tif 000009
【図７】
2015063331.tif 000010
【図８】
2015063331.tif 000011
【図９】
2015063331.tif 000012